(57)【特許請求の範囲】
【請求項１】
複数の監視対象物それぞれに配置された警報装置から、前記複数の監視対象物における異常を示す警報を受信すると共に、複数のカメラにより撮影された画像を記録する複数の画像記録装置から、前記画像を受信する監視装置であって、
前記複数の監視対象物のそれぞれを一意に識別する対象物番号と、前記警報の種別と、
前記警報を発生した警報発生日時と、この警報発生日時における前記カメラにより撮影された画像に基づいて生成された縮小画像とを関連付けて、アラーム情報として記憶するアラーム情報記憶手段と、
前記対象物番号と、前記カメラを一意に識別するカメラ番号と、前記画像記録装置を一意に識別する画像記録装置番号とを関連付けて、対象物情報として記憶する対象物情報記憶手段と、
外部より前記対象物番号、前記警報の種別、及び前記警報発生日時のうち少なくともいずれか１つを検索条件として選択する選択指示がなされた場合に、前記アラーム情報記憶手段に前記検索条件に適合する１又は複数のアラーム情報が記憶されているか否かを判定するアラーム判定手段と、
前記アラーム判定手段により、前記検索条件に適合する１又は複数のアラーム情報が記憶されていると判定された場合に、この１又は複数のアラーム情報に含まれる前記縮小画像を表示部に表示させる縮小画像表示制御手段と、
外部より前記表示部に表示された１又は複数の縮小画像のうちいずれか１つを選択する選択指示がなされた場合に、前記アラーム情報記憶手段に記憶されたアラーム情報に基づいて前記選択された縮小画像に対応する前記対象物番号を抽出すると共に、前記対象物情報記憶手段に記憶された対象物情報に基づいて、前記抽出した対象物番号に対応する前記画像記録装置番号、及び前記カメラ番号を抽出する検索装置決定手段と、
前記抽出された画像記録装置番号で識別される前記画像記録装置から、前記選択された縮小画像に対応する前記警報発生日時を含む時間に前記抽出されたカメラ番号で識別される前記カメラにより撮影された動画像を受信し、この受信した動画像を表示部に表示させる動画像表示制御手段と、
を備え、前記監視装置は更に、
前記警報装置内の一警報装置から、前記警報として前記一警報装置が配置された前記監視対象物を一意に識別する対象物番号と、前記警報の種別と、前記警報発生日時とを受信した場合に、前記対象物情報記憶手段に記憶された対象物情報に基づいて、前記受信した対象物番号に対応する前記画像記録装置番号、及び前記カメラ番号を抽出するアラーム発生装置決定手段と、
前記抽出された画像記録装置番号で識別される前記画像記録装置から、前記抽出されたカメラ番号で識別される前記カメラによって撮影された動画像のうち前記受信した警報発生日時に対応する静止画像を縮小して生成された縮小画像を受信し、この受信した縮小画像と、前記受信した対象物番号と、警報の種別と、警報発生日時とを関連付けて、アラーム情報として前記アラーム情報記憶手段に記憶させるアラーム記憶制御手段と、
を備えたことを特徴とする監視装置。
【請求項２】
複数の監視対象物それぞれに配置された警報装置から、前記複数の監視対象物における異常を示す警報を受信すると共に、複数のカメラにより撮影された画像を記録する複数の画像記録装置から、前記画像を受信する監視装置であり、前記複数の監視対象物のそれぞれを一意に識別する対象物番号と、前記警報の種別と、前記警報を発生した警報発生日時と、この警報発生日時における前記カメラにより撮影された画像に基づいて生成された縮小画像とを関連付けて、アラーム情報として記憶するアラーム情報記憶手段と、前記対象物番号と、前記カメラを一意に識別するカメラ番号と、前記画像記録装置を一意に識別する画像記録装置番号とを関連付けて、対象物情報として記憶する対象物情報記憶手段と、
を備える前記監視装置を用いて前記複数の監視対象物を監視する監視方法であって、
外部より前記対象物番号、前記警報の種別、及び前記警報発生日時のうち少なくともいずれか１つを検索条件として選択する選択指示がなされた場合に、前記アラーム情報記憶手段に前記検索条件に適合する１又は複数のアラーム情報が記憶されているか否かを判定するアラーム判定ステップと、
前記アラーム判定ステップにより、前記検索条件に適合する１又は複数のアラーム情報が記憶されていると判定された場合に、この１又は複数のアラーム情報に含まれる前記縮小画像を表示部に表示させる縮小画像表示制御ステップと、
外部より前記表示部に表示された１又は複数の縮小画像のうちいずれか１つを選択する選択指示がなされた場合に、前記アラーム情報記憶手段に記憶されたアラーム情報に基づいて前記選択された縮小画像に対応する前記対象物番号を抽出すると共に、前記対象物情報記憶手段に記憶された対象物情報に基づいて、前記抽出した対象物番号に対応する前記画像記録装置番号、及び前記カメラ番号を抽出する検索装置決定ステップと、
前記抽出された画像記録装置番号で識別される前記画像記録装置から、前記選択された縮小画像に対応する前記警報発生日時を含む時間に前記抽出されたカメラ番号で識別される前記カメラにより撮影された動画像を受信し、この受信した動画像を表示部に表示させる動画像表示制御ステップと、
を有し、前記監視方法は更に、
前記警報装置の内の一警報装置から、前記警報として前記一警報装置が配置された前記監視対象物を一意に識別する対象物番号と、前記警報の種別と、前記警報発生日時とを受信した場合に、前記対象物情報記憶手段に記憶された対象物情報に基づいて、前記受信した対象物番号に対応する前記画像記録装置番号、及び前記カメラ番号を抽出するアラーム発生装置決定ステップと、
前記抽出された画像記録装置番号で識別される前記画像記録装置から、前記抽出されたカメラ番号で識別される前記カメラによって撮影された動画像のうち前記受信した警報発生日時に対応する静止画像を縮小して生成された縮小画像を受信し、この受信した縮小画像と、前記受信した対象物番号と、警報の種別と、警報発生日時とを関連付けて、アラーム情報として前記アラーム情報記憶手段に記憶させるアラーム記憶制御ステップと、
を有したことを特徴とする監視方法。
【請求項３】
複数の監視対象物それぞれに配置された警報装置から、前記複数の監視対象物における異常を示す警報を受信すると共に、複数のカメラにより撮影された画像を記録する複数の画像記録装置から、前記画像を受信する監視装置であり、前記複数の監視対象物のそれぞれを一意に識別する対象物番号と、前記警報の種別と、前記警報を発生した警報発生日時と、この警報発生日時における前記カメラにより撮影された画像に基づいて生成された縮小画像とを関連付けて、アラーム情報として記憶するアラーム情報記憶手段と、前記対象物番号と、前記カメラを一意に識別するカメラ番号と、前記画像記録装置を一意に識別する画像記録装置番号とを関連付けて、対象物情報として記憶する対象物情報記憶手段と、
を備える前記監視装置に実行させるための監視プログラムであって、
外部より前記対象物番号、前記警報の種別、及び前記警報発生日時のうち少なくともいずれか１つを検索条件として選択する選択指示がなされた場合に、前記アラーム情報記憶手段に前記検索条件に適合する１又は複数のアラーム情報が記憶されているか否かを判定するアラーム判定ステップと、
前記アラーム判定ステップにより、前記検索条件に適合する１又は複数のアラーム情報が記憶されていると判定された場合に、この１又は複数のアラーム情報に含まれる前記縮小画像を表示部に表示させる縮小画像表示制御ステップと、
外部より前記表示部に表示された１又は複数の縮小画像のうちいずれか１つを選択する選択指示がなされた場合に、前記アラーム情報記憶手段に記憶されたアラーム情報に基づいて前記選択された縮小画像に対応する前記対象物番号を抽出すると共に、前記対象物情報記憶手段に記憶された対象物情報に基づいて、前記抽出した対象物番号に対応する前記画像記録装置番号、及び前記カメラ番号を抽出する検索装置決定ステップと、
前記抽出された画像記録装置番号で識別される前記画像記録装置から、前記選択された縮小画像に対応する前記警報発生日時を含む時間に前記抽出されたカメラ番号で識別される前記カメラにより撮影された動画像を受信し、この受信した動画像を表示部に表示させる動画像表示制御ステップと、
を前記監視装置に実行させるための監視プログラムであって、前記監視プログラムは更に、
前記警報装置の内の一警報装置から、前記警報として前記一警報装置が配置された前記監視対象物を一意に識別する対象物番号と、前記警報の種別と、前記警報発生日時とを受信した場合に、前記対象物情報記憶手段に記憶された対象物情報に基づいて、前記受信した対象物番号に対応する前記画像記録装置番号、及び前記カメラ番号を抽出するアラーム発生装置決定ステップと、
前記抽出された画像記録装置番号で識別される前記画像記録装置から、前記抽出されたカメラ番号で識別される前記カメラによって撮影された動画像のうち前記受信した警報発生日時に対応する静止画像を縮小して生成された縮小画像を受信し、この受信した縮小画像と、前記受信した対象物番号と、警報の種別と、警報発生日時とを関連付けて、アラーム情報として前記アラーム情報記憶手段に記憶させるアラーム記憶制御ステップと、
を前記監視装置に実行させるための監視プログラム。
【発明の詳細な説明】
【技術分野】
【０００１】
本発明は、監視対象物として端末装置の異常を検知した場合に警報を発生させる警報装置と接続されると共に、カメラにより撮影された映像を記録する画像記録装置とネットワークを介して接続された監視装置、監視方法、及び監視プログラムに関する。
【背景技術】
【０００２】
例えば、パチンコ店などの遊技場では、パチンコ遊技機などの遊技装置を映像で監視する監視システムが用いられている。このような監視システムは遊技装置に設けたセンサに連動して監視カメラを制御し、この監視カメラにより撮影された映像を録画する。
【０００３】
また、遊技場に設置されたパチンコ遊技機を管理する集中管理装置と、遊技場内を撮影する監視カメラを制御するモニタ制御装置とを備え、この集中管理装置とモニタ制御装置とにより遊技場全体の管理を行う監視システムもある。(例えば、特許文献１参照)。
【０００４】
このような特許文献１に記載の監視システムにおいて、集中管理装置は、パチンコ遊技機で不正行為などの異常状態が発生したときにはモニタ命令を自動発生する。そして、モニタ制御装置は、新たなモニタ命令を受けたときに、新規モニタ命令の優先度が既発生のモニタ命令の優先度と比べて同等以上であった場合のみ、その新規モニタ命令により特定されるパチンコ遊技機に対応したズームレンズ付きテレビカメラを動作させて、当該パチンコ遊技機及び周辺をズームイン状態で撮像してモニタに再生させる。さらに、固定焦点距離のテレビカメラは、端末装置群の全体をズームレンズ付きテレビカメラの反対方向から撮像した画像をモニタに再生させる。
【０００５】
しかしながら、特許文献１に記載の監視システムでは、異常状態が発生したときに、モニタ命令に応じて監視カメラを制御するので、利用者は、異常状態が発生したときの画像を後から確認することができなかった。
【０００６】
そこで、特許文献２には、監視カメラで撮影される画像のデータを記憶する画像記憶部と、制御部のプログラム記憶部内のウェブサーバのソフトウエアの実行により実現されるサーバ手段とを備え、サーバ手段は、画像記憶部の画像データが再生される再生画面を表示装置に表示するための情報を監視ユニットに送信する処理と、再生画面において任意の画像が注目画像に指定されたときに、指定情報を画像データベース記憶部に記憶する処理と、指定情報に基づいて選択された画像データがサムネイル画像として一覧表示される画面を表示するための情報を監視ユニットに送信する処理と、入力装置により選択されたサムネイル画像に対応する画像データが最初に再生される再生画面を表示するための情報を監視ユニットに送信する処理とを実行する画像記録装置が提案されている。
【特許文献１】特開平５−１６６０８２号公報
【特許文献２】特開２００７−６７４５７号公報
【発明の開示】
【発明が解決しようとする課題】
【０００７】
しかしながら、特許文献２に記載の画像記録装置では、サーバ手段が、表示装置に表示された再生画面において任意の画像が注目画像に指定されたときに、指定情報に基づいて選択された画像データがサムネイル画像として一覧表示される画面を表示するための情報を生成し、監視ユニットに送信するので、注目画像が指定されてから、サムネイル画像の一覧が表示されるまで、かなりの時間を要するという課題があった。
【０００８】
本発明は、上記課題に鑑みてなされたものであり、警報装置が発呼した警報発生日時におけるアラーム情報を検索でき、かつ検索されたアラーム情報が示す縮小画像を即座に表示することができる監視装置、監視方法、及び監視プログラムを提供することを目的とする。
【課題を解決するための手段】
【００１０】
上記目的を達成するため、本発明に係る監視装置の第１の特徴は、複数の監視対象物（２０１ａ〜２０１ｃ）それぞれに配置された警報装置（１０２ａ〜１０２ｄ，１０３ａ〜１０３ｄ）から、前記複数の監視対象物における異常を示す警報を受信すると共に、複数のカメラ（１０１ａ１〜１０１ａ１６，１０１ｂ１〜１０１ｂ１６）により撮影された画像を記録する複数の画像記録装置（１０６ａ，１０６ｂ）から、前記画像を受信する監視装置（１）であって、前記複数の監視対象物（２０１ａ〜２０１ｃ）のそれぞれを一意に識別する対象物番号と、前記警報の種別と、前記警報を発生した警報発生日時と、この警報発生日時における前記カメラ（１０１ａ１〜１０１ａ１６，１０１ｂ１〜１０１ｂ１６）により撮影された画像に基づいて生成された縮小画像とを関連付けて、アラーム情報として記憶するアラーム情報記憶手段（１７ａ）と、前記対象物番号と、前記カメラを一意に識別するカメラ番号と、前記画像記録装置（１０６ａ，１０６ｂ）を一意に識別する画像記録装置番号とを関連付けて、対象物情報として記憶する対象物情報記憶手段（１７ｂ）と、外部より前記対象物番号、前記警報の種別、及び前記警報発生日時のうち少なくともいずれか１つを検索条件として選択する選択指示がなされた場合に、前記アラーム情報記憶手段（１７ａ）に前記検索条件に適合する１又は複数のアラーム情報が記憶されているか否かを判定するアラーム判定手段（１１ａ）と、前記アラーム判定手段（１１ａ）により、前記検索条件に適合する１又は複数のアラーム情報が記憶されていると判定された場合に、この１又は複数のアラーム情報に含まれる前記縮小画像を表示部（１６）に表示させる縮小画像表示制御手段（１１ｂ）と、外部より前記表示部（１６）に表示された１又は複数の縮小画像のうちいずれか１つを選択する選択指示がなされた場合に、前記アラーム情報記憶手段（１７ａ）に記憶されたアラーム情報に基づいて前記選択された縮小画像に対応する前記対象物番号を抽出すると共に、前記対象物情報記憶手段（１７ｂ）に記憶された対象物情報に基づいて、前記抽出した対象物番号に対応する前記画像記録装置番号、及び前記カメラ番号を抽出する検索装置決定手段（１１ｃ）と、前記抽出された画像記録装置番号で識別される前記画像記録装置（１０６ａ，１０６ｂ）から、前記選択された縮小画像に対応する前記警報発生日時を含む時間に前記抽出されたカメラ番号で識別される前記カメラ（１０１ａ１〜１０１ａ１６，１０１ｂ１〜１０１ｂ１６）により撮影された動画像を受信し、この受信した動画像を表示部（１６）に表示させる動画像表示制御手段（１１ｄ）と、を備え、前記監視装置は更に、前記警報装置（１０２ａ〜１０２ｄ，１０３ａ〜１０３ｄ）の内の一警報装置から、前記警報として前記一警報装置が配置された前記監視対象物（２０１ａ〜２０１ｃ）を一意に識別する対象物番号と、前記警報の種別と、前記警報発生日時とを受信した場合に、前記対象物情報記憶手段に記憶された対象物情報に基づいて、前記受信した対象物番号に対応する前記画像記録装置番号、及び前記カメラ番号を抽出するアラーム発生装置決定手段（１１ｅ）と、前記抽出された画像記録装置番号で識別される前記画像記録装置（１０６ａ，１０６ｂ）から、前記抽出されたカメラ番号で識別される前記カメラによって撮影された動画像のうち前記受信した警報発生日時に対応する静止画像を縮小して生成された縮小画像を受信し、この受信した縮小画像と、前記受信した対象物番号と、警報の種別と、警報発生日時とを関連付けて、アラーム情報として前記アラーム情報記憶手段（１７ａ）に記憶させるアラーム記憶制御手段（１１ｆ）と、を備えたことにある。
【００１２】
上記目的を達成するため、本発明に係る監視方法の第２の特徴は、複数の監視対象物（２０１ａ〜２０１ｃ）それぞれに配置された警報装置（１０２ａ〜１０２ｄ，１０３ａ〜１０３ｄ）から、前記複数の監視対象物における異常を示す警報を受信すると共に、複数のカメラ（１０１ａ１〜１０１ａ１６，１０１ｂ１〜１０１ｂ１６）により撮影された画像を記録する複数の画像記録装置（１０６ａ，１０６ｂ）から、前記画像を受信する監視装置（１）であり、前記複数の監視対象物（２０１ａ〜２０１ｃ）のそれぞれを一意に識別する対象物番号と、前記警報の種別と、前記警報を発生した警報発生日時と、この警報発生日時における前記カメラ（１０１ａ１〜１０１ａ１６，１０１ｂ１〜１０１ｂ１６）により撮影された画像に基づいて生成された縮小画像とを関連付けて、アラーム情報として記憶するアラーム情報記憶手段（１７ａ）と、前記対象物番号と、前記カメラを一意に識別するカメラ番号と、前記画像記録装置（１０６ａ，１０６ｂ）を一意に識別する画像記録装置番号とを関連付けて、対象物情報として記憶する対象物情報記憶手段（１７ｂ）と、を備える前記監視装置（１）を用いて前記複数の監視対象物を監視する監視方法であって、外部より前記対象物番号、前記警報の種別、及び前記警報発生日時のうち少なくともいずれか１つを検索条件として選択する選択指示がなされた場合に、前記アラーム情報記憶手段（１７ａ）に前記検索条件に適合する１又は複数のアラーム情報が記憶されているか否かを判定するアラーム判定ステップ（１１ａ）と、前記アラーム判定ステップ（１１ａ）により、前記検索条件に適合する１又は複数のアラーム情報が記憶されていると判定された場合に、この１又は複数のアラーム情報に含まれる前記縮小画像を表示部（１６）に表示させる縮小画像表示制御ステップ（１１ｂ）と、外部より前記表示部（１６）に表示された１又は複数の縮小画像のうちいずれか１つを選択する選択指示がなされた場合に、前記アラーム情報記憶手段（１７ａ）に記憶されたアラーム情報に基づいて前記選択された縮小画像に対応する前記対象物番号を抽出すると共に、前記対象物情報記憶手段（１７ｂ）に記憶された対象物情報に基づいて、前記抽出した対象物番号に対応する前記画像記録装置番号、及び前記カメラ番号を抽出する検索装置決定ステップ（１１ｃ）と、前記抽出された画像記録装置番号で識別される前記画像記録装置（１０６ａ，１０６ｂ）から、前記選択された縮小画像に対応する前記警報発生日時を含む時間に前記抽出されたカメラ番号で識別される前記カメラ（１０１ａ１〜１０１ａ１６，１０１ｂ１〜１０１ｂ１６）により撮影された動画像を受信し、この受信した動画像を表示部（１６）に表示させる動画像表示制御ステップ（１１ｄ）と、を有し、前記監視方法は更に、前記警報装置（１０２ａ〜１０２ｄ，１０３ａ〜１０３ｄ）の内の一警報装置から、前記警報として前記一警報装置が配置された前記監視対象物（２０１ａ〜２０１ｃ）を一意に識別する対象物番号と、前記警報の種別と、前記警報発生日時とを受信した場合に、前記対象物情報記憶手段に記憶された対象物情報に基づいて、前記受信した対象物番号に対応する前記画像記録装置番号、及び前記カメラ番号を抽出するアラーム発生装置決定ステップ（１１ｅ）と、前記抽出された画像記録装置番号で識別される前記画像記録装置（１０６ａ，１０６ｂ）から、前記抽出されたカメラ番号で識別される前記カメラによって撮影された動画像のうち前記受信した警報発生日時に対応する静止画像を縮小して生成された縮小画像を受信し、この受信した縮小画像と、前記受信した対象物番号と、警報の種別と、警報発生日時とを関連付けて、アラーム情報として前記アラーム情報記憶手段（１７ａ）に記憶させるアラーム記憶制御ステップ（１１ｆ）と、を有したことにある。
【００１４】
上記目的を達成するため、本発明に係る監視プログラムの第１の特徴は、複数の監視対象物（２０１ａ〜２０１ｃ）それぞれに配置された警報装置（１０２ａ〜１０２ｄ，１０３ａ〜１０３ｄ）から、前記複数の監視対象物における異常を示す警報を受信すると共に、複数のカメラ（１０１ａ１〜１０１ａ１６，１０１ｂ１〜１０１ｂ１６）により撮影された画像を記録する複数の画像記録装置（１０６ａ，１０６ｂ）から、前記画像を受信する監視装置（１）であり、前記複数の監視対象物（２０１ａ〜２０１ｃ）のそれぞれを一意に識別する対象物番号と、前記警報の種別と、前記警報を発生した警報発生日時と、この警報発生日時における前記カメラ（１０１ａ１〜１０１ａ１６，１０１ｂ１〜１０１ｂ１６）により撮影された画像に基づいて生成された縮小画像とを関連付けて、アラーム情報として記憶するアラーム情報記憶手段（１７ａ）と、前記対象物番号と、前記カメラを一意に識別するカメラ番号と、前記画像記録装置（１０６ａ，１０６ｂ）を一意に識別する画像記録装置番号とを関連付けて、対象物情報として記憶する対象物情報記憶手段（１７ｂ）と、を備える前記監視装置（１）に実行させるための監視プログラムであって、外部より前記対象物番号、前記警報の種別、及び前記警報発生日時のうち少なくともいずれか１つを検索条件として選択する選択指示がなされた場合に、前記アラーム情報記憶手段（１７ａ）に前記検索条件に適合する１又は複数のアラーム情報が記憶されているか否かを判定するアラーム判定ステップ（１１ａ）と、前記アラーム判定ステップ（１１ａ）により、前記検索条件に適合する１又は複数のアラーム情報が記憶されていると判定された場合に、この１又は複数のアラーム情報に含まれる前記縮小画像を表示部（１６）に表示させる縮小画像表示制御ステップ（１１ｂ）と、外部より前記表示部（１６）に表示された１又は複数の縮小画像のうちいずれか１つを選択する選択指示がなされた場合に、前記アラーム情報記憶手段（１７ａ）に記憶されたアラーム情報に基づいて前記選択された縮小画像に対応する前記対象物番号を抽出すると共に、前記対象物情報記憶手段（１７ｂ）に記憶された対象物情報に基づいて、前記抽出した対象物番号に対応する前記画像記録装置番号、及び前記カメラ番号を抽出する検索装置決定ステップ（１１ｃ）と、前記抽出された画像記録装置番号で識別される前記画像記録装置（１０６ａ，１０６ｂ）から、前記選択された縮小画像に対応する前記警報発生日時を含む時間に前記抽出されたカメラ番号で識別される前記カメラ（１０１ａ１〜１０１ａ１６，１０１ｂ１〜１０１ｂ１６）により撮影された動画像を受信し、この受信した動画像を表示部（１６）に表示させる動画像表示制御ステップ（１１ｄ）と、を前記監視装置（１）に実行させるための監視プログラムであって、前記監視プログラムは更に、前記警報装置（１０２ａ〜１０２ｄ，１０３ａ〜１０３ｄ）の内の一警報装置から、前記警報として前記一警報装置が配置された前記監視対象物（２０１ａ〜２０１ｃ）を一意に識別する対象物番号と、前記警報の種別と、前記警報発生日時とを受信した場合に、前記対象物情報記憶手段に記憶された対象物情報に基づいて、前記受信した対象物番号に対応する前記画像記録装置番号、及び前記カメラ番号を抽出するアラーム発生装置決定ステップ（１１ｅ）と、前記抽出された画像記録装置番号で識別される前記画像記録装置（１０６ａ，１０６ｂ）から、前記抽出されたカメラ番号で識別される前記カメラによって撮影された動画像のうち前記受信した警報発生日時に対応する静止画像を縮小して生成された縮小画像を受信し、この受信した縮小画像と、前記受信した対象物番号と、警報の種別と、警報発生日時とを関連付けて、アラーム情報として前記アラーム情報記憶手段（１７ａ）に記憶させるアラーム記憶制御ステップ（１１ｆ）と、を前記監視装置（１）に実行させることにある。
【発明の効果】
【００１５】
本発明に係る監視装置、監視方法、及び監視プログラムによれば、警報装置が発呼した警報発生日時におけるアラーム情報を検索でき、かつ検索されたアラーム情報が示す縮小画像を即座に表示することができる。
【発明を実施するための最良の形態】
【００１６】
以下、本発明を実施するための最良の形態について図面を参照して説明する。
【００１７】
本実施形態では、端末装置として遊技装置それぞれに配置された警報装置から、端末装置における異常を示す警報を受信すると共に、監視カメラにより撮影された画像を記録する画像記録装置から、画像を受信する監視装置が適用された監視システムについて説明する。
【００１８】
図１は、本実施形態における監視システムの構成を示した構成図である。
【００１９】
監視システム１００は、監視カメラ１０１（１０１ａ１〜１０１ａ１６、１０１ｂ１〜１０１ｂ１６）と、警報装置として開放センサ１０２（１０２ａ〜１０２ｄ）及び、磁気センサ１０３（１０３ａ〜１０３ｄ）と、ホールコンピュータ１０４と、スイッチャ１０５（１０５ａ、１０５ｂ）と、画像記録装置１０６（１０６ａ、１０６ｂ）と、ネットワークエンコーダ１０７（１０７ａ，１０７ｂ）と、シリアルコンバータ１０８と、監視装置１と、表示部１０９と、を備えている。なお、ネットワークエンコーダ１０７（１０７ａ，１０７ｂ）と、監視装置１とはネットワーク１２０を介して接続されている。
【００２０】
監視カメラ１０１ａ１〜１０１ａ１６は、ホールコンピュータ１０４からの制御信号に基づいて、パン方向、及びチルト方向に旋回して、遊技装置（図示しない）の設置付近を撮影する。また、監視カメラ１０１ａ１〜１０１ａ１６は、撮影した動画像をスイッチャ１０５ａへ供給する。
【００２１】
また、監視カメラ１０１ｂ１〜１０１ｂ１６についても、監視カメラ１０１ａ１〜１０１ａ１６と同様に、ホールコンピュータ１０４からの制御信号に基づいて、パン方向、及びチルト方向に旋回して、遊技装置の設置付近を撮影する。また、監視カメラ１０１ｂ１〜１０１ｂ１６は、撮影した動画像をスイッチャ１０５ｂへ供給する。
【００２２】
警報装置の１つである開放センサ１０２ａ〜１０２ｄは、各々の遊技装置に設置され、遊技装置の前面扉が開放されたことを検知すると、“DOOR OPEN”警報をホールコンピュータ１０４へ送信する。
【００２３】
警報装置の１つである磁気センサ１０３ａ〜１０３ｄは、各々の遊技装置に設置され、磁場を検知すると、“MAGNET”警報をホールコンピュータ１０４へ送信する。
【００２４】
ホールコンピュータ１０４は、開放センサ１０２（１０２ａ〜１０２ｄ）、又は磁気センサ１０３（１０３ａ〜１０３ｄ）から警報が供給されると、ホールコンピュータ１０４の内部に記憶している監視カメラ関連情報に基づいて、監視カメラ１０１（１０１ａ１〜１０１ａ１６、１０１ｂ１〜１０１ｂ１６）の中から警報を供給した警報装置が取り付けられた遊技装置に対応する監視カメラを特定し、特定した監視カメラ１０１を制御する。
【００２５】
また、供給された警報を、シリアルコンバータ１０８を介して監視装置１に対して出力する。
【００２６】
図２は、ホールコンピュータ１０４の内部に記憶している監視カメラ関連情報の一例を示した図である。
【００２７】
図２に示すように、カラム名“遊技装置”（符号２０１）と、カラム名“カメラ１”（符号２０２）と、カラム名“カメラ２”（符号２０３）と、カラム名“カメラ３”（符号２０４）とが関連付けられて監視カメラ関連情報として記憶されている。
【００２８】
ホールコンピュータ１０４は、この監視カメラ関連情報に基づいて、監視カメラ１０１（１０１ａ１〜１０１ａ１６、１０１ｂ１〜１０１ｂ１６）の中から警報を供給した警報装置が取り付けられた遊技装置に対応する監視カメラを特定することができる。
【００２９】
図１に戻り、スイッチャ１０５ａは、監視カメラ１０１ａ１〜１０１ａ１６を切り替え、スイッチャ１０５ｂは、監視カメラ１０１ｂ１〜１０１ｂ１６を切り替える。
【００３０】
画像記録装置１０６ａは、スイッチャ１０５ａを介して、監視カメラ１０１ａ１〜１０１ａ１６により撮影された動画像を受信し、受信した動画像を記憶する。同様に、画像記録装置１０６ｂは、スイッチャ１０５ｂを介して、監視カメラ１０１ｂ１〜１０１ｂ１６により撮影された動画像を受信し、受信した動画像を記憶する。
【００３１】
また、監視装置１は、ホールコンピュータ１０４から警報を受けると、警報発生日時に撮影された縮小画像の送信を画像記録装置１０６ａに対して要求するので、画像記録装置１０６ａは、この監視装置１からの要求に応じて、記憶している動画像から警報発生日時における静止画像を生成し、この生成した静止画像をネットワークエンコーダ１０７ａへ供給する。同様に、画像記録装置１０６ｂは、この監視装置１からの要求に応じて、記憶している動画像から警報発生日時における静止画像を生成し、この生成した静止画像をネットワークエンコーダ１０７ｂへ供給する。
【００３２】
ネットワークエンコーダ１０７ａは、画像記録装置１０６ａから供給された静止画像を、縮小、及び圧縮して縮小画像を生成し、この生成した縮小画像をネットワーク１２０を介して監視装置１へ送信する。同様に、ネットワークエンコーダ１０７ｂは、画像記録装置１０６ｂから供給された静止画像を、縮小、及び圧縮して縮小画像を生成し、この生成した縮小画像をネットワーク１２０を介して監視装置１へ送信する。
【００３３】
シリアルコンバータ１０８は、ホールコンピュータ１０４からパラレル伝送されたデータをパラレル−シリアル変換し、監視装置１へ供給する。
【００３４】
表示部１０９は、有機ＥＬ（electroluminescence）ディスプレイや、液晶ディスプレイ等の画像出力装置を備え、監視装置１から供給された出力信号に基づいて、アラーム情報検索画面等を表示する。
【００３５】
入力部１１０は、キーボードやマウスを備えており、利用者によってこのキーボードやマウスが操作されることによって、操作信号を生成し、生成した操作信号を監視装置１へ供給する。
【００３６】
監視装置１は、ホールコンピュータ１０４からシリアルコンバータ１０８を介して供給された警報と、ネットワークエンコーダ１０７ａ，１０７ｂからネットワーク１２０を介して送信された縮小画像とを関連づけて記憶すると共に、利用者の操作で選択された縮小画像に対応する動画像を表示部１０９に表示する。
【００３７】
図３は本実施形態における監視システム１００が監視する遊技装置と、その監視システム１００に備えられた遊技装置、監視カメラ１０１、開放センサ１０２、及び磁気センサ１０３との配置関係を示した図である。
【００３８】
図３に示すように、遊技装置は、それぞれ一列または二列に配置された遊技装置２０１ａ〜２０１ｄとして遊技場に配設されている。例えば、遊技装置２０１ａは、１つの開放センサ１０２、及び１つの磁気センサ１０３を備えており、他の遊技装置２０１ｂ〜２０１ｄにも、同様にそれぞれ１つの開放センサ１０２、及び１つの磁気センサ１０３が備えられている。
【００３９】
そして、図３に示すように、遊技装置２０１ａと遊技装置２０１ｂとの間には、監視カメラ１０１ａ１〜１０１ａ３が配置されている。同様に、遊技装置２０１ｂと遊技装置２０１ｃとの間には、監視カメラ１０１ａ４，１０１ａ５が配置されている。さらに、遊技装置２０１ｃと遊技装置２０１ｄとの間には、監視カメラ１０１ｂ１〜１０１ｂ３が配置されている。
【００４０】
このように、遊技装置、監視カメラ１０１、開放センサ１０２、及び磁気センサ１０３を配置し、ホールコンピュータ１０４は、開放センサ１０２（１０２ａ〜１０２ｄ）から供給される警報と、磁気センサ１０３（１０３ａ〜１０３ｄ）から供給される警報に基づいて、監視カメラ１０１（１０１ａ１〜１０１ａ１６、１０１ｂ１〜１０１ｂ１６）を制御する。
【００４１】
これにより、ホールコンピュータ１０４は、供給された警報に基づいて、最大３台の監視カメラを制御できるので、例えば監視カメラは、遊技装置の正面方向や左右方向等多方向から遊技装置周辺を撮影することができる。
【００４２】
次に、本実施形態である監視装置１とネットワークエンコーダ１０７ａ，１０７ｂを介して接続された画像記録装置１０６ａ，１０６ｂの構成について説明する。
【００４３】
図４は、画像記録装置１０６ａの構成を示した構成図である。なお、画像記録装置１０６ａと画像記録装置１０６ｂとは、同一構成を有するので、ここでは、画像記録装置１０６ａについて説明する。
【００４４】
図４に示すように、画像記録装置１０６ａは、入力Ｉ／Ｆ３０１と、ＣＰＵ３０２と、メモリ３０３と、出力Ｉ／Ｆ３０４と、表示部３０５と、ハードディスクドライブ３０６とを備え、それぞれはバス３０７により接続されている。
【００４５】
入力Ｉ／Ｆ３０１は、スイッチャ１０５ａと接続されており、このスイッチャ１０５ａから監視カメラ１０１ａ１〜１０１ａ１６により撮影された動画像が供給される。
【００４６】
メモリ３０３は、不揮発性半導体等で構成されており、ＣＰＵ３０２が実行するプログラムや各種データを一時的に記憶する。
【００４７】
出力Ｉ／Ｆ３０４は、ネットワークエンコーダ１０７ａと接続されており、後述するＣＰＵ３０２により生成された静止画像をネットワークエンコーダ１０７ａへ供給する。また、出力Ｉ／Ｆ３０４は、後述するＣＰＵ３０２により抽出された動画像をネットワークエンコーダ１０７へ供給する。
【００４８】
表示部３０５は、有機ＥＬ（electroluminescence）ディスプレイや、液晶ディスプレイ等の画像出力装置を備え、ＣＰＵ３０２から供給された出力信号に基づいて、画像等を表示する。
【００４９】
ハードディスクドライブ３０６は、その機能ブロックとして、動画像記憶手段３０６ａと、静止画像記憶手段３０６ｂとを備える。
【００５０】
動画像記憶手段３０６ａは、監視カメラ１０１ａ１〜１０１ａ１６を一意に識別するカメラ番号と、監視カメラ１０１ａ１〜１０１ａ１６により撮影された動画像とを関連づけて記憶する。
【００５１】
静止画像記憶手段３０６ｂは、監視カメラ１０１ａ１〜１０１ａ１６を一意に識別するカメラ番号と、警報発生日時と、ＣＰＵ３０２により生成された静止画像とを関連づけて記憶する。
【００５２】
ＣＰＵ３０２は、画像記録装置１０６ａにおける中枢的な処理を行う。また、ＣＰＵ３０２は、その機能上、静止画像生成手段３０２ａと、動画像抽出手段３０２ｂとを備える。
【００５３】
静止画像生成手段３０２ａは、ネットワークエンコーダ１０７ａから縮小画像の送信を要求する縮小画像送信要求信号と共に、カメラ番号と警報発生日時とが供給された場合に、ハードディスクドライブ３０６の動画像記憶手段３０６ａに記憶された動画像から、受信したカメラ番号と警報発生日時に対応する静止画像を生成する。そして、縮小画像生成手段３０２ａは、この生成した静止画像をハードディスクドライブ３０６の静止画像記憶手段３０６ｂに記憶させると共に、出力Ｉ／Ｆ３０４を介してネットワークエンコーダ１０７ａへ供給する。
【００５４】
動画像抽出手段３０２ｂは、ネットワークエンコーダ１０７ａから動画像の送信を要求する動画像送信要求信号と共に、カメラ番号と警報発生日時とが供給された場合に、ハードディスクドライブ３０６の動画像記憶手段３０６ａから、受信したカメラ番号と警報発生日時を含む前後数分間分の動画像を抽出する。そして、動画像抽出手段３０２ｂは、この抽出した動画像を出力Ｉ／Ｆ３０４を介してネットワークエンコーダ１０７ａへ供給する。
【００５５】
次に、本実施形態である監視装置１の構成について説明する。
【００５６】
図５は、本実施形態である監視装置１の構成を示した構成図である。
【００５７】
本実施形態である監視装置１は、ＣＰＵ１１と、メモリ１２と、ネットワークＩ／Ｆ１３と、シリアルポート１４と、入力Ｉ／Ｆ１５と、出力Ｉ／Ｆ１６と、ハードディスクドライブ１７とを備え、それぞれはバス１８により接続されている。
【００５８】
メモリ１２は、不揮発性半導体等で構成されており、ＣＰＵ１１が実行するＯＳ（Operating System）や、監視プログラム等の各種プログラム、及びこれら各種プログラムを実行するための各種データを一時的に記憶する。
【００５９】
ネットワークＩ／Ｆ１３は、ネットワークカードなどの通信インタフェースであり、このネットワークＩ／Ｆ１３によりネットワーク１２０に接続することによって、ネットワーク１２０に接続されたネットワークエンコーダ１０７ａ，１０７ｂと通信することができる。
【００６０】
シリアルポート１４は、シリアルコンバータ１０８からシリアル伝送された警報を受信する。
【００６１】
入力Ｉ／Ｆ１５は、キーボードやマウス等の入力部１１０と接続され、このキーボードやマウスによって生成された操作信号をＣＰＵ１１へ供給する。
【００６２】
出力Ｉ／Ｆ１６は、ＣＰＵ１１から供給された出力信号を、有機ＥＬ（electroluminescence）ディスプレイや、液晶ディスプレイ等で構成された表示部１０９へ供給する。
【００６３】
ハードディスクドライブ１７は、機能ブロックとして、アラーム情報記憶手段１７ａと、装置情報記憶手段１７ｂとを備える。
【００６４】
アラーム情報記憶手段１７ａは、遊技装置のうちいずれか１つを一意に識別する端末番号と、警報の種別と、警報を発生した警報発生日時と、この警報発生日時における監視カメラ１０１により撮影された画像に基づいて生成された縮小画像とを関連付けて、アラーム情報として記憶している。
【００６５】
装置情報記憶手段１７ｂは、遊技装置の端末番号と、監視カメラ１０１を一意に識別するカメラ番号と、画像記録装置１０６ａ，１０６ｂを一意に識別する画像記録装置番号とを関連付けて、装置情報として記憶している。
【００６６】
図６は、装置情報記憶手段１７ｂが記憶している装置情報の一例を示した図である。
【００６７】
図６に示すように、カラム名“端末番号”（符号４０１）と、カラム名“カメラ番号”（符号４０２）と、カラム名“画像記録装置番号”（符号４０３）とが関連付けられて装置情報として記憶されている。
【００６８】
このように、装置情報には、１つの端末番号に複数台の監視カメラ１０１のカメラ番号が対応付けられて記憶されている。
【００６９】
ＣＰＵ１１は、監視装置１の中枢的な制御を行う。また、ＣＰＵ１１は、その機能上、アラーム判定手段１１ａと、縮小画像表示制御手段１１ｂと、検索装置決定手段１１ｃと、動画像表示制御手段１１ｄと、アラーム発生装置決定手段１１ｅと、アラーム記憶制御手段１１ｆとを備える。
【００７０】
アラーム判定手段１１ａは、入力Ｉ／Ｆ１５より、遊技装置の端末番号、警報の種別、及び警報発生日時のうち少なくともいずれか１つを検索条件として選択する操作信号が供給された場合に、ハードディスクドライブ１７のアラーム情報記憶手段１７ａからアラーム情報を読み出し、この読み出したアラーム情報に検索条件に適合する１又は複数のアラーム情報が記憶されているか否かを判定する。
【００７１】
縮小画像表示制御手段１１ｂは、アラーム判定手段１１ａにより、検索条件に適合する１又は複数のアラーム情報が記憶されていると判定された場合に、この１又は複数のアラーム情報に含まれる縮小画像を出力Ｉ／Ｆ１６を介して表示部１６に表示させる。
【００７２】
検索装置決定手段１１ｃは、入力Ｉ／Ｆ１５より、表示部１６に表示された１又は複数の縮小画像のうちいずれか１つを選択する操作信号が供給された場合に、ハードディスクドライブ１７のアラーム情報記憶手段１７ａに記憶されたアラーム情報に基づいて、選択された縮小画像に対応する遊技装置の端末番号を抽出すると共に、ハードディスクドライブ１７の装置情報記憶手段１７ｂに記憶された装置情報に基づいて、抽出した端末番号に対応する画像記録装置番号、及びカメラ番号を抽出する。
【００７３】
動画像表示制御手段１１ｄは、抽出された画像記録装置番号で識別される画像記録装置１０６ａ，１０６ｂから、選択された縮小画像に対応する警報発生日時を含む時間に抽出されたカメラ番号で識別される監視カメラ１０１により撮影された動画像を受信し、この受信した動画像を出力Ｉ／Ｆ１６を介して表示部１６に表示させる。
【００７４】
アラーム発生装置決定手段１１ｅは、警報装置１０２，１０３から、警報として遊技装置装置のうちいずれか１つを一意に識別する端末番号と、警報の種別と、警報発生日時とを受信した場合に、ハードディスクドライブ１７の装置情報記憶手段１７ｂに記憶された装置情報に基づいて、受信した端末番号に対応する画像記録装置番号、及びカメラ番号を抽出する。
【００７５】
アラーム記憶制御手段１１ｆは、抽出された画像記録装置番号で識別される画像記録装置１０６ａ，１０６ｂから、抽出されたカメラ番号で識別される監視カメラによって撮影された動画像のうち、受信した警報発生日時における静止画像を縮小して生成された縮小画像を受信し、この受信した縮小画像と、端末番号と、警報の種別と、警報発生日時とを関連付けて、アラーム情報としてハードディスクドライブ１７のアラーム情報記憶手段１７ａに記憶させる。
【００７６】
≪監視装置１の作用≫
本実施形態である監視装置１は、主にアラーム情報記憶処理、アラーム情報検索処理を行う。よって以下に、これら各処理について詳細に説明する。
【００７７】
（アラーム情報記憶処理）
図７は、本実施形態である監視装置１におけるアラーム情報記憶処理の処理手順を示すフローチャートである。ここでは、遊技装置の利用者が不正を行おうとして遊技装置２０１ａのガラス扉を開いた場合を例に挙げて説明する。
【００７８】
まず、遊技装置の利用者が遊技装置２０１ａのガラス扉を開くと、開放センサ１０２ａがこれを検知して、ホールコンピュータ１０４へ警報出力を行う。
【００７９】
そして、警報が供給されたホールコンピュータ１０４は、警報を発呼した開放センサ１０２ａに取り付けられた遊技機の端末番号と、警報の種別（ここでは、“DOOR OPEN”）と、開放センサ１０２ａが警報を出力した日時である警報発生日時とをシリアルコンバータ１０８を介して、監視装置１へ送信する。
【００８０】
また、ホールコンピュータ１０４は、内部に記憶されたカメラ関連情報に基づいて、アラームを発呼した開放センサ１０２ａに取り付けられた遊技機の端末番号に対応するカメラ番号を抽出し、警報を発呼した開放センサ１０２ａに取り付けられた遊技機周辺を撮影するように、抽出したカメラ番号に対応する監視カメラ１０１のパン角度及びチルト角度を制御する。
【００８１】
そして、監視装置１は、ホールコンピュータ１０４から送信された端末番号と、警報の種別と、警報発生日時とを受信すると（ステップＳ１０１）、監視装置１のＣＰＵ１１のアラーム記憶制御手段１１ｆは、受信した端末番号と、警報の種別と、警報発生日時とを関連づけて、ハードディスクドライブ１７のアラーム情報記憶手段１７ａに記憶させる（ステップＳ１０２）。
【００８２】
次に、監視装置１のＣＰＵ１１のアラーム発生装置決定手段１１ｅは、ハードディスクドライブ１７の装置情報記憶手段１７ｂに記憶された装置情報を読み出し、この読み出した装置情報に基づいて、ステップＳ１０１において受信した端末番号に対応する画像記録装置番号、及びカメラ番号を抽出し、抽出した画像記録装置番号で識別される画像記録装置１０６ａへ、抽出したカメラ番号で識別される監視カメラ１０１が警報発生日時に撮影した縮小画像の送信を要求する縮小画像送信要求信号を送信する（ステップＳ１０３）。
【００８３】
そして、監視装置１のＣＰＵ１１のアラーム記憶制御手段１１ｆは、画像記録装置１０６ａから、ネットワークエンコーダ１０７ａを介して、ステップＳ１０３において抽出したカメラ番号で識別される監視カメラ１０１が警報発生日時に撮影した縮小画像を受信する（ステップＳ１０４）。
【００８４】
次に、アラーム記憶制御手段１１ｆは、ステップＳ１０４において受信した縮小画像を、ステップＳ１０２において記憶させた端末番号と、警報の種別と、警報発生日時とに関連付けて、アラーム情報としてアラーム情報記憶手段１７ａに記憶させる（ステップＳ１０５）。
【００８５】
ここで、アラーム記憶制御手段１１ｆは、受信した縮小画像に遊技機の端末番号、カメラ番号、警報発生日時のファイル名を付与してアラーム情報記憶手段１７ａに記憶させる。例えば、遊技機の端末番号が２０１ａ、カメラ番号がカメラ１、日付が２００７年６月３０日、時刻が１４時３３分５秒の場合、ファイル名を「２０１ａ１２００７０６３０１４３３０５．ｊｐｇ」として記憶する。
【００８６】
（アラーム情報検索処理）
図８は、本実施形態である監視装置１におけるアラーム情報検索処理の処理手順を示すフローチャートである。
【００８７】
まず、利用者は、表示部１０９に表示されたアラーム情報検索画面を見ながら、入力部１１０を操作すると、入力部１１０は操作信号を生成し、この生成した操作信号を監視装置１へ供給する（ステップＳ２０１）。
【００８８】
図９は、表示部１０９に表示されたアラーム情報検索画面の一例を示した図である。
【００８９】
図９に示すように、アラーム情報検索画面６００は、画面上、検索条件入力部６０１と、サムネイル表示部６０２と、動画再生部６０３とにエリア分割されている。
【００９０】
そして、利用者は、入力部１１０を用いて、検索条件入力部６０１内に表示されているプルダウンメニューにより、遊戯装置の端末番号、警報の種別、及び警報発生日時のうち少なくともいずれか１つを検索条件として指定する操作を行い、検索条件入力部６０１内に表示されている検索実行ボタンを選択する操作を行うと、入力部１１０は、この検索条件を含む操作信号を監視装置１へ供給する。
【００９１】
次に、監視装置１のＣＰＵ１１のアラーム判定手段１１ａは、端末番号、警報の種別、及び警報発生日時のうち少なくともいずれか１つを指定する検索条件を含む操作信号が供給されると、ハードディスクドライブ１７のアラーム情報記憶手段１７ａからアラーム情報を読み出し、この読み出したアラーム情報の中に、検索条件に適合する１又は複数のアラーム情報が含まれているか否かを判定する（ステップＳ２０２）。
【００９２】
そして、ステップＳ２０２において、読み出したアラーム情報の中に、検索条件に適合するアラーム情報が含まれていないと判定された場合、処理を終了する。
【００９３】
一方、ステップＳ２０２において、読み出したアラーム情報の中に、検索条件に適合する１又は複数のアラーム情報が含まれていると判定された場合、この１又は複数のアラーム情報に含まれる縮小画像を図９に示したサムネイル表示部６０２に表示させる（ステップＳ２０６）。
【００９４】
次に、利用者が、入力部１１０を用いて、サムネイル表示部６０２内に表示されている縮小画像のうちいずれか１つを選択する操作を行うと、入力部１１０は、選択された縮小画像のファイル名を含む操作信号を生成し、ＣＰＵ１１へ供給する（ステップＳ２０７）。
【００９５】
次に、選択された縮小画像のファイル名を含む操作信号が供給されたＣＰＵ１１の検索装置決定手段１１ｃは、ハードディスクドライブ１７のアラーム情報記憶手段１７ａからアラーム情報を読み出し、この読み出したアラーム情報に基づいて、ステップＳ２０７において供給された操作信号に含まれる縮小画像のファイル名に対応する遊技装置の端末番号を抽出する。さらに、検索装置決定手段１１ｃは、ハードディスクドライブ１７の装置情報記憶手段１７ｂから装置情報を読み出し、この読み出した装置情報に基づいて、抽出した端末番号に対応する画像記録装置番号、及びカメラ番号を抽出する（ステップＳ２０８）。
【００９６】
次に、動画像表示制御手段１１ｄは、ステップＳ２０８において抽出された画像記録装置番号で識別される画像記録装置１０６ａへ、選択された縮小画像に対応する警報発生日時を含む時間に抽出されたカメラ番号によって撮影された動画像の送信を要求する動画像送信要求信号を送信する（ステップＳ２０９）。
【００９７】
そして、動画像表示制御手段１１ｄは、画像記録装置１０６ａから、ネットワークエンコーダ１０７ａを介して、ステップＳ２０９において送信した動画像送信要求信号への応答として、取得したカメラ番号で識別される監視カメラ１０１が警報発生日時を含む時間に撮影した動画像を受信し、この受信した動画像をデコードした後、図９に示した動画再生部６０３に表示させる（ステップＳ２１０）。
【００９８】
以上のように、本実施形態である監視装置１によれば、複数の画像記録装置１０６ａ，１０６ｂによりアラーム情報の記録を行っている場合においても、アラーム情報を総合的に検索することができ、検索したアラーム情報に関連する縮小画像を即座に表示することができる。
【００９９】
また、従来の監視システムでは、検索用のアラーム情報と縮小画像とがそれぞれの記録装置に記憶されていた。
【０１００】
そのため、従来の監視システムに備えられた複数の記録装置が、異なるメーカによって製造されたものである場合、又は異なる機種である場合に、この記録装置毎に検索条件の書式などが異なり、各記録装置間で互換性が得られない場合があった。そのため、従来の監視システムでは、必ずしも統合的に検索を行うことができなかった。
【０１０１】
また、複数の記録装置がある従来の監視システムでは、各記録装置に対し検索を行う必要があるため、縮小画像の検索、及び表示が即座に行えなかった。
【０１０２】
しかしながら、本実施形態である監視装置１が適用された監視システムによれば、監視装置１が、検索条件（装置番号，警報の種別，警報発生日時）と縮小画像とを関連付けてアラーム情報として記憶しているので、画像記録装置の製造メーカや機種に依存することなく検索条件を作成できるため、製造メーカや機種が異なる画像記録装置が混在している場合にも、統合的にアラーム情報を検索することができる。さらに、検索されたアラーム情報に含まれる縮小画像を即座に検索し、表示することができる。
【０１０３】
なお、本実施形態である監視装置１では、パン・チルト駆動可能な監視カメラを用いてパン角度、チルト角度をホールコンピュータ１０４が制御する例を示したがこれに限らず、監視対象を撮影する監視カメラとして固定カメラを複数設けておき、これらの固定カメラの画像を検索して閲覧してもよいことはいうまでもない。
【０１０４】
また、本実施形態である監視装置１では、アラームの発生した警報発生時刻におけるアラームの発生した場所の縮小画像を検索する例を示したが、本実施例のように画像記録装置にすべての画像を記録しておけば、例えばアラームの発生した時刻の他の場所の画像を閲覧するなど、アラームの画像以外を総合的に検索したり閲覧することも可能であり、好適である。
【０１０５】
さらに、本実施形態では縮小画像をネットワークエンコーダ１０７ａ，１０７ｂを介して取得する例を示したが、画像記録装置１０６ａ、１０６ｂから縮小画像を取得できる場合はネットワークエンコーダ１０７ａ，１０７ｂを用いることなく、画像記録装置１０６ａ、１０６ｂから縮小画像を直接取得してもよい。
【０１０６】
また、本実施形態では監視対象が個別の遊技装置が列状に配置された遊技装置を説明したが、各個別の遊技装置毎に識別できる識別番号を用いて稼働する監視装置であってもよい。
【０１０７】
もちろん、監視対象は、列状に配置されたものに限定されるものではない。
【図面の簡単な説明】
【０１０８】
【図１】本実施形態である監視装置が適用された監視システムの構成を示した構成図である。
【図２】本実施形態に係る監視システムに備えられたホールコンピュータの内部に記憶している監視カメラ関連情報の一例を示した図である。
【図３】本実施形態に係る監視システムに備えられた遊技装置、監視カメラ、開放センサ、及び磁気センサの配置を示した図である。
【図４】本実施形態に係る監視システムに備えられた画像記録装置の構成を示した構成図である。
【図５】本実施形態である監視装置の構成を示した構成図である。
【図６】本実施形態である監視装置の装置情報記憶手段が記憶している装置情報の一例を示した図である。
【図７】本実施形態である監視装置１におけるアラーム情報記憶処理の処理手順を示すフローチャートである。
【図８】本実施形態である監視装置１におけるアラーム情報検索処理の処理手順を示すフローチャートである。
【図９】本実施形態である監視装置に接続された表示部に表示されたアラーム情報検索画面の一例を示した図である。
【符号の説明】
【０１０９】
１…監視装置
１１…ＣＰＵ
１１ａ…アラーム判定手段
１１ｂ…縮小画像表示制御手段
１１ｃ…検索装置決定手段
１１ｄ…動画像表示制御手段
１１ｅ…アラーム発生装置決定手段
１１ｆ…アラーム記憶制御手段
１２…メモリ
１４…シリアルポート
１６…表示部
１７…ハードディスク
１７ａ…アラーム情報記憶手段
１７ｂ…装置情報記憶手段（対象物情報記憶手段）
１８…バス
１００…監視システム
１０１ａ１〜１０１ａ１６，１０１ｂ１〜１０１ｂ１６…監視カメラ
１０２ａ〜１０２ｄ…開放センサ（警報装置）
１０３ａ〜１０３ｄ…磁気センサ（警報装置）
１０４…ホールコンピュータ
１０５ａ，１０５ｂ…スイッチャ
１０６ａ，１０６ｂ…画像記録装置
１０７ａ，１０７ｂ…ネットワークエンコーダ
１０８…シリアルコンバータ
１０９…表示部
１１０…入力部
１２０…ネットワーク
２０１ａ，２０１ｂ，２０１ｃ，２０１ｄ…遊技装置
【図１】
0004983628.tif 000002
【図２】
0004983628.tif 000003
【図３】
0004983628.tif 000004
【図４】
0004983628.tif 000005
【図５】
0004983628.tif 000006
【図６】
0004983628.tif 000007
【図７】
0004983628.tif 000008
【図８】
0004983628.tif 000009
【図９】
0004983628.tif 000010